(57)【要約】【課題】  ユーザが購入した音楽ＣＤに収録された曲について、の各種端末の各々での利用に適した楽曲データを提供し且つ著作権料の二重払いを回避する。【解決手段】  高音質の第１の楽曲データを再生する第１の端末１０と、第１の楽曲データと同じ曲で第１の楽曲データより低音質の第２の楽曲データを再生する第２の端末２０と、楽曲データサーバ３０を備える。第１の楽曲データと同じ曲を収録した音楽ＣＤが第１の端末１０にセットされ、当該音楽ＣＤに記録されているＣＤＩＤ情報が第１の端末１０より楽曲データサーバ３０に送信され、該ＣＤＩＤ情報を楽曲データサーバ３０が受信する。すると楽曲データサーバ３０は第１の端末１０に第１の楽曲データを提供する。第２の端末２０がＣＤＩＤ情報を第１の端末１０より取得して楽曲データサーバに送信し、楽曲データサーバ３０がＣＤＩＤ情報を受信すると、楽曲データサーバ３０は第２の端末２０に第２の楽曲データを提供する。【選択図】    図１
2007272556.tif 000002
【特許請求の範囲】
【請求項１】
高音質の第１の楽曲データを再生する第１の端末と、
前記第１の楽曲データと同じ曲且つ前記第１の楽曲データより低音質の第２の楽曲データを再生する第２の端末と、
前記第１の端末には前記第１の楽曲データを、前記第２の端末には前記第２の楽曲データを、それぞれ提供する楽曲データサーバと、
を備える端末別楽曲データ提供システムであって、
前記第１の楽曲データと同じ曲を収録した音楽ＣＤが前記第１の端末にセットされ、当該音楽ＣＤに記録されているＣＤＩＤ情報が当該第１の端末より前記楽曲データサーバに送信され、前記楽曲データサーバが前記第１の端末より前記ＣＤＩＤ情報を受信すると、前記楽曲データサーバは前記第１の端末に対して前記第１の楽曲データを提供する一方で、
前記第１の楽曲データと同じ曲を収録した音楽ＣＤが前記第１の端末にセットされ、当該音楽ＣＤに記録されているＣＤＩＤ情報を前記第２の端末が前記第１の端末より取得し、前記ＣＤＩＤ情報が前記第２の端末より前記楽曲データサーバに送信され、前記楽曲データサーバが前記第２の端末より前記ＣＤＩＤ情報を受信すると、前記楽曲データサーバは前記第２の端末に対して前記第２の楽曲データを提供することを特徴とする端末別楽曲データ提供システム。
【請求項２】
ＣＤＩＤが記録された音楽ＣＤを読み取るＣＤドライブと、第１の楽曲データを再生する第１の楽曲データ管理プログラム及び前記第１の楽曲データの第１の再生フォーマット情報が格納された記憶部と、ネットワークに接続するための通信部と、を有する第１の端末と、
前記ＣＤＩＤがどの音楽ＣＤであるかを示す情報が格納されたＣＤＩＤデータベースと、前記音楽ＣＤに対応するマスタ楽曲データが格納された楽曲データ記憶装置と、前記ＣＤＩＤに対応したマスタ楽曲データを再生フォーマット情報に応じた楽曲データに変換する変換処理装置と、前記ネットワークに接続するための通信部と、を有する楽曲データ変換サーバとを備え、
前記第１の端末は前記ＣＤドライブに前記音楽ＣＤがセットされた際に前記ＣＤＩＤを読み取って前記第１の再生フォーマット情報及び前記ＣＤＩＤを前記ネットワークを介して前記楽曲データ変換サーバに送信し、前記楽曲データ変換サーバは、前記第１の端末から受信したＣＤＩＤに対応した前記マスタ楽曲データを前記第１の再生フォーマット情報に基づいて前記変換処理装置により変換して前記第１の楽曲データを作成し、該第１の楽曲データを前記ネットワークを介して前記第１の端末に送信することを特徴とする端末別楽曲データ提供システム。
【請求項３】
前記第１の端末の前記記憶部には各ユーザに固有のユーザＩＤがさらに格納され、
前記第１の端末は、前記ＣＤドライブに前記音楽ＣＤがセットされた際に前記ユーザＩＤ及び前記ＣＤＩＤを示す認証コードを生成し、該認証コードを前記第１の端末とは別の第２の端末に提供する認証コード提供手段をさらに有し、
当該端末別楽曲データ提供システムは、前記認証コードを前記第１の端末より取得する認証コード取得手段と、第２の楽曲データを再生する第２の楽曲データ管理プログラム及び前記第２の楽曲データの第２の再生フォーマット情報が格納された記憶部と、ネットワークに接続するための通信部と、を有する第２の端末をさらに備え、
前記第２の端末は前記認証コード取得手段により取得した前記認証コードから前記ＣＤＩＤを抽出し、前記ＣＤＩＤ及び前記第２の再生フォーマット情報を前記ネットワークを介して前記楽曲データ変換サーバに送信し、前記楽曲データ変換サーバは前記第２の端末から受信したＣＤＩＤに対応した前記マスタ楽曲データを前記第２の再生フォーマット情報に基づいて前記変換処理装置によって変換することにより前記第２の楽曲データを作成し、該第２の楽曲データを前記ネットワークを介して前記第２の端末に送信することを特徴とする請求項２に記載の端末別楽曲データ提供システム。
【請求項４】
前記第１の端末は、表示動作を行う表示手段をさらに有し、
前記認証コード提供手段は、前記認証コードを前記表示手段に表示させ、
前記認証コード取得手段は、前記表示手段に表示された認証コードを撮像する撮像手段を有することを特徴とする請求項３に記載の端末別楽曲データ提供システム。
【請求項５】
前記認証コード提供手段は、前記認証コードを、近距離無線通信により送信して前記認証コード取得手段に取得させることを特徴とする請求項３に記載の端末別楽曲データ提供システム。
【請求項６】
高音質の第１の楽曲データを再生する第１の端末と、前記第１の楽曲データと同じ曲且つ前記第１の楽曲データより低音質の第２の楽曲データを再生する第２の端末と、前記第１の端末には前記第１の楽曲データを、前記第２の端末には前記第２の楽曲データを、それぞれ提供する楽曲データサーバと、を備える端末別楽曲データ提供システムの前記楽曲データサーバから前記第１及び第２の端末に楽曲データを提供する方法であって、
前記第１の楽曲データと同じ曲を収録した音楽ＣＤが前記第１の端末にセットされ、当該音楽ＣＤに記録されているＣＤＩＤ情報が当該第１の端末より前記楽曲データサーバに送信され、前記楽曲データサーバが前記第１の端末より前記ＣＤＩＤ情報を受信する第１の過程と、
前記楽曲データサーバから前記第１の端末に対して前記第１の楽曲データを提供する第２の過程と、
前記第１の楽曲データと同じ曲を収録した音楽ＣＤが前記第１の端末にセットされ、当該音楽ＣＤに記録されているＣＤＩＤ情報を前記第２の端末が前記第１の端末より取得し、前記ＣＤＩＤ情報が前記第２の端末より前記楽曲データサーバに送信され、前記楽曲データサーバが前記第２の端末より前記ＣＤＩＤ情報を受信する第３の過程と、
前記楽曲データサーバから前記第２の端末に対して前記第２の楽曲データを提供する第４の過程と、
を備えることを特徴とする端末別楽曲データ提供方法。
【請求項７】
第１の楽曲データを再生する第１の端末のＣＤドライブに音楽ＣＤがセットされると、該音楽ＣＤに記録されたＣＤＩＤが前記ＣＤドライブにより読み取られる第１の過程と、
前記第１の過程により読み取られたＣＤＩＤと、前記第１の楽曲データの第１の再生フォーマット情報と、を前記第１の端末から楽曲データ変換サーバに送信する第２の過程と、
前記楽曲データ変換サーバが前記第１の端末から受信したＣＤＩＤに対応したマスタ楽曲データを前記第１の再生フォーマット情報に基づいて変換して前記第１の楽曲データを作成する第３の過程と、
前記第３の過程により作成した第１の楽曲データを前記楽曲データ変換サーバから前記第１の端末に送信する第４の過程と、
を備えることを特徴とする端末別楽曲データ提供方法。
【請求項８】
前記第１の過程により読み取られたＣＤＩＤと、前記第１の端末の各ユーザに固有のユーザＩＤと、を示す認証コードを前記第１の端末が生成する第５の過程と、
前記第５の過程により生成された認証コードを前記第１の端末とは別の第２の端末に提供する第６の過程と、
前記第２の端末が、前記第６の過程により提供された認証コードから前記ＣＤＩＤを抽出する第７の過程と、
前記第２の端末が、前記第７の過程により抽出されたＣＤＩＤと、第２の楽曲データの第２の再生フォーマット情報と、を前記楽曲データ変換サーバに送信する第８の過程と、
前記楽曲データ変換サーバが前記第２の端末から受信したＣＤＩＤに対応したマスタ楽曲データを前記第２の再生フォーマット情報に基づいて変換して前記第２の楽曲データを作成する第９の過程と、
前記第９の過程により作成した第２の楽曲データを前記楽曲データ変換サーバから前記第２の端末に送信する第１０の過程と、
を備えることを特徴とする端末別楽曲データ提供方法。
【請求項９】
前記第６の過程は、
前記認証コードを前記第１の端末が備える表示手段に表示する第１１の過程と、
前記第１１の過程により前記表示手段に表示される認証コードを前記第２の端末が備える撮像手段により撮像する第１２の過程と、
を備えることを特徴とする８に記載の端末別楽曲データ提供方法。
【請求項１０】
前記第６の過程では、前記認証コードを、前記第１の端末から前記第２の端末へと近距離無線通信により送信することを特徴とする請求項８に記載の端末別楽曲データ提供方法。
【請求項１１】
コンピュータが実行可能なプログラムにおいて、
請求項１乃至５の何れか一項に記載の端末別楽曲データ提供システムが備える前記第１の端末装置の動作を実現させることを特徴とするプログラム。
【請求項１２】
コンピュータが実行可能なプログラムにおいて、
請求項１乃至５の何れか一項に記載の端末別楽曲データ提供システムが備える前記第２の端末装置の動作を実現させることを特徴とするプログラム。
【請求項１３】
コンピュータが実行可能なプログラムにおいて、
請求項１乃至５の何れか一項に記載の端末別楽曲データ提供システムが備える前記楽曲データサーバの動作を実現させることを特徴とするプログラム。
【発明の詳細な説明】
【技術分野】
【０００１】
本発明は、端末別楽曲データ提供システム、端末別楽曲データ提供方法及びそのプログラムに関する。
【背景技術】
【０００２】
従来、ユーザが購入した音楽ＣＤ（ＣＤ：Ｃｏｍｐａｃｔ  Ｄｉｓｃ）の楽曲をＰＣ（Ｐｅｒｓｏｎａｌ  Ｃｏｍｐｕｔｅｒ）や携帯端末などで楽しむ場合は、ユーザ各自が変換ソフトを用いて、各々の端末で再生できる変換方式を選択して、各々変換作業を行うか、または、楽曲データの販売サイトからデータを購入する。
【０００３】
ユーザが自分で音楽ＣＤからＰＣや携帯端末で再生するための楽曲データを作成する場合、特に現状の携帯端末（携帯電話機など）ではＣＰＵの処理能力やメモリ容量の関係で、通常はＰＣでの再生に用いられる高音質（音質が優れた）の楽曲データが再生できない場合が多い。
【０００４】
よって、ユーザは、ＰＣ用及び携帯端末用に各々変換作業を行わなければならず、面倒だった。
【０００５】
本発明に関連する先行技術文献としては、特許文献１がある。
【０００６】
特許文献１には、ＰＣや携帯端末の各々で再生可能なフォーマットの楽曲データを提供する技術が開示され、また、楽曲データの品質などをユーザにより選択可能である点が開示されている。
【特許文献１】特開２００２−１４９１６６号公報
【発明の開示】
【発明が解決しようとする課題】
【０００７】
ところで、楽曲データの販売サイトからデータを購入する場合、既にユーザが購入済みの音楽ＣＤに収録された曲であっても、別途料金を支払って楽曲データを購入することになる。この料金には販売サイトの収入となる手数料の他に著作権料も含まれており、著作権料の二重払いが発生するという問題がある。
【０００８】
無論、この問題は、特許文献１の技術の場合にも発生する。
【０００９】
本発明は、上記のような問題点を解決するためになされたもので、ユーザが購入した音楽ＣＤに収録された曲について、ＰＣや携帯端末（携帯電話機・ＰＤＡなど）の各種端末での利用に適した楽曲データを提供するとともに、著作権料の二重払いを回避することが可能な端末別楽曲データ提供システム、端末別楽曲データ提供方法及びそのプログラムを提供することを目的とする。
【課題を解決するための手段】
【００１０】
上記課題を解決するため、本発明の端末別楽曲データ提供システムは、高音質の第１の楽曲データを再生する第１の端末と、前記第１の楽曲データと同じ曲且つ前記第１の楽曲データより低音質の第２の楽曲データを再生する第２の端末と、前記第１の端末には前記第１の楽曲データを、前記第２の端末には前記第２の楽曲データを、それぞれ提供する楽曲データサーバと、を備える端末別楽曲データ提供システムであって、前記第１の楽曲データと同じ曲を収録した音楽ＣＤが前記第１の端末にセットされ、当該音楽ＣＤに記録されているＣＤＩＤ情報が当該第１の端末より前記楽曲データサーバに送信され、前記楽曲データサーバが前記第１の端末より前記ＣＤＩＤ情報を受信すると、前記楽曲データサーバは前記第１の端末に対して前記第１の楽曲データを提供する一方で、前記第１の楽曲データと同じ曲を収録した音楽ＣＤが前記第１の端末にセットされ、当該音楽ＣＤに記録されているＣＤＩＤ情報を前記第２の端末が前記第１の端末より取得し、前記ＣＤＩＤ情報が前記第２の端末より前記楽曲データサーバに送信され、前記楽曲データサーバが前記第２の端末より前記ＣＤＩＤ情報を受信すると、前記楽曲データサーバは前記第２の端末に対して前記第２の楽曲データを提供することを特徴としている。
【００１１】
また、本発明の端末別楽曲データ提供システムは、ＣＤＩＤが記録された音楽ＣＤを読み取るＣＤドライブと、第１の楽曲データを再生する第１の楽曲データ管理プログラム及び前記第１の楽曲データの第１の再生フォーマット情報が格納された記憶部と、ネットワークに接続するための通信部と、を有する第１の端末と、前記ＣＤＩＤがどの音楽ＣＤであるかを示す情報が格納されたＣＤＩＤデータベースと、前記音楽ＣＤに対応するマスタ楽曲データが格納された楽曲データ記憶装置と、前記ＣＤＩＤに対応したマスタ楽曲データを再生フォーマット情報に応じた楽曲データに変換する変換処理装置と、前記ネットワークに接続するための通信部と、を有する楽曲データ変換サーバとを備え、前記第１の端末は前記ＣＤドライブに前記音楽ＣＤがセットされた際に前記ＣＤＩＤを読み取って前記第１の再生フォーマット情報及び前記ＣＤＩＤを前記ネットワークを介して前記楽曲データ変換サーバに送信し、前記楽曲データ変換サーバは、前記第１の端末から受信したＣＤＩＤに対応した前記マスタ楽曲データを前記第１の再生フォーマット情報に基づいて前記変換処理装置により変換して前記第１の楽曲データを作成し、該第１の楽曲データを前記ネットワークを介して前記第１の端末に送信することを特徴としている。
【００１２】
本発明の端末別楽曲データ提供システムにおいては、前記第１の端末の前記記憶部には各ユーザに固有のユーザＩＤがさらに格納され、前記第１の端末は、前記ＣＤドライブに前記音楽ＣＤがセットされた際に前記ユーザＩＤ及び前記ＣＤＩＤを示す認証コードを生成し、該認証コードを前記第１の端末とは別の第２の端末に提供する認証コード提供手段をさらに有し、当該端末別楽曲データ提供システムは、前記認証コードを前記第１の端末より取得する認証コード取得手段と、第２の楽曲データを再生する第２の楽曲データ管理プログラム及び前記第２の楽曲データの第２の再生フォーマット情報が格納された記憶部と、ネットワークに接続するための通信部と、を有する第２の端末をさらに備え、前記第２の端末は前記認証コード取得手段により取得した前記認証コードから前記ＣＤＩＤを抽出し、前記ＣＤＩＤ及び前記第２の再生フォーマット情報を前記ネットワークを介して前記楽曲データ変換サーバに送信し、前記楽曲データ変換サーバは前記第２の端末から受信したＣＤＩＤに対応した前記マスタ楽曲データを前記第２の再生フォーマット情報に基づいて前記変換処理装置によって変換することにより前記第２の楽曲データを作成し、該第２の楽曲データを前記ネットワークを介して前記第２の端末に送信することが好ましい。
【００１３】
本発明の端末別楽曲データ提供システムにおいては、前記第１の端末は、表示動作を行う表示手段をさらに有し、前記認証コード提供手段は、前記認証コードを前記表示手段に表示させ、前記認証コード取得手段は、前記表示手段に表示された認証コードを撮像する撮像手段を有することが好ましい。
【００１４】
或いは、本発明の端末別楽曲データ提供システムにおいては、前記認証コード提供手段は、前記認証コードを、近距離無線通信により送信して前記認証コード取得手段に取得させることも好ましい。
【００１５】
また、本発明の端末別楽曲データ提供方法は、高音質の第１の楽曲データを再生する第１の端末と、前記第１の楽曲データと同じ曲且つ前記第１の楽曲データより低音質の第２の楽曲データを再生する第２の端末と、前記第１の端末には前記第１の楽曲データを、前記第２の端末には前記第２の楽曲データを、それぞれ提供する楽曲データサーバと、を備える端末別楽曲データ提供システムの前記楽曲データサーバから前記第１及び第２の端末に楽曲データを提供する方法であって、前記第１の楽曲データと同じ曲を収録した音楽ＣＤが前記第１の端末にセットされ、当該音楽ＣＤに記録されているＣＤＩＤ情報が当該第１の端末より前記楽曲データサーバに送信され、前記楽曲データサーバが前記第１の端末より前記ＣＤＩＤ情報を受信する第１の過程と、前記楽曲データサーバから前記第１の端末に対して前記第１の楽曲データを提供する第２の過程と、前記第１の楽曲データと同じ曲を収録した音楽ＣＤが前記第１の端末にセットされ、当該音楽ＣＤに記録されているＣＤＩＤ情報を前記第２の端末が前記第１の端末より取得し、前記ＣＤＩＤ情報が前記第２の端末より前記楽曲データサーバに送信され、前記楽曲データサーバが前記第２の端末より前記ＣＤＩＤ情報を受信する第３の過程と、前記楽曲データサーバから前記第２の端末に対して前記第２の楽曲データを提供する第４の過程と、を備えることを特徴としている。
【００１６】
また、本発明の端末別楽曲データ提供方法は、第１の楽曲データを再生する第１の端末のＣＤドライブに音楽ＣＤがセットされると、該音楽ＣＤに記録されたＣＤＩＤが前記ＣＤドライブにより読み取られる第１の過程と、前記第１の過程により読み取られたＣＤＩＤと、前記第１の楽曲データの第１の再生フォーマット情報と、を前記第１の端末から楽曲データ変換サーバに送信する第２の過程と、前記楽曲データ変換サーバが前記第１の端末から受信したＣＤＩＤに対応したマスタ楽曲データを前記第１の再生フォーマット情報に基づいて変換して前記第１の楽曲データを作成する第３の過程と、前記第３の過程により作成した第１の楽曲データを前記楽曲データ変換サーバから前記第１の端末に送信する第４の過程と、を備えることを特徴としている。
【００１７】
本発明の端末別楽曲データ提供方法においては、前記第１の過程により読み取られたＣＤＩＤと、前記第１の端末の各ユーザに固有のユーザＩＤと、を示す認証コードを前記第１の端末が生成する第５の過程と、前記第５の過程により生成された認証コードを前記第１の端末とは別の第２の端末に提供する第６の過程と、前記第２の端末が、前記第６の過程により提供された認証コードから前記ＣＤＩＤを抽出する第７の過程と、前記第２の端末が、前記第７の過程により抽出されたＣＤＩＤと、第２の楽曲データの第２の再生フォーマット情報と、を前記楽曲データ変換サーバに送信する第８の過程と、前記楽曲データ変換サーバが前記第２の端末から受信したＣＤＩＤに対応したマスタ楽曲データを前記第２の再生フォーマット情報に基づいて変換して前記第２の楽曲データを作成する第９の過程と、前記第９の過程により作成した第２の楽曲データを前記楽曲データ変換サーバから前記第２の端末に送信する第１０の過程と、を備えることが好ましい。
【００１８】
本発明の端末別楽曲データ提供方法においては、前記第６の過程は、前記認証コードを前記第１の端末が備える表示手段に表示する第１１の過程と、前記第１１の過程により前記表示手段に表示される認証コードを前記第２の端末が備える撮像手段により撮像する第１２の過程と、を備えることが好ましい。
【００１９】
或いは、本発明の端末別楽曲データ提供方法においては、前記第６の過程では、前記認証コードを、前記第１の端末から前記第２の端末へと近距離無線通信により送信することも好ましい。
【００２０】
また、本発明のプログラムは、コンピュータが実行可能なプログラムにおいて、本発明の端末別楽曲データ提供システムが備える前記第１の端末装置の動作を実現させることを特徴としている。
【００２１】
また、本発明のプログラムは、コンピュータが実行可能なプログラムにおいて、本発明の端末別楽曲データ提供システムが備える前記第２の端末装置の動作を実現させることを特徴としている。
【００２２】
また、本発明のプログラムは、コンピュータが実行可能なプログラムにおいて、本発明の端末別楽曲データ提供システムが備える前記楽曲データサーバの動作を実現させることを特徴としている。
【発明の効果】
【００２３】
本発明によれば、ユーザが購入した音楽ＣＤに収録された曲について、各種の端末（ＰＣや携帯端末（携帯電話機・ＰＤＡなど））での利用に適した楽曲データを提供することができるとともに、著作権料の二重払いを回避することができる。
【発明を実施するための最良の形態】
【００２４】
以下、図面を参照して、本発明に係る実施形態について説明する。
【００２５】
図１は本実施形態に係る端末別楽曲データ提供システムの構成を示す模式図である。
【００２６】
図１に示すように、本実施形態に係る端末別楽曲データ提供システム１００は、それぞれ音楽再生を行う端末であるＰＣ（第１の端末）１０及び携帯端末（第２の端末）２０と、それらＰＣ１０及び携帯端末２０に楽曲データを提供する楽曲データ変換サーバ（楽曲データサーバ）３０と、を備えて構成されている。
【００２７】
ＰＣ１０と楽曲データ変換サーバ３０、携帯端末２０と変換サーバ３０は、それぞれインターネットなどのネットワークにより相互に通信可能とされている。
【００２８】
なお、本実施形態においては、現在通常に行われているように、音楽コンテンツ会社がＣＤをプレスしてＣＤ販売店に卸し、ユーザはＣＤ販売店からＣＤ４０を購入することを前提としている。
【００２９】
ただし、本実施形態の場合、音楽コンテンツ会社がＣＤを生産する際に、ＣＤ１枚毎に異なるシリアルＩＤ（以降ＣＤＩＤ）をＣＤの例えばヘッダ部に記録している。すなわち、同じタイトルの音楽ＣＤであっても、１枚１枚別個のＣＤＩＤが付与され、記録されている。なお、シリアルＩＤがＣＤにデータとして埋め込まれている（記録されている）のは、目視によるＩＤ流出を防ぐためである。
【００３０】
さらに、本実施形態においては、ＣＤ生産時に用いる高音質（音質が優れた）の楽曲マスタリングデータが楽曲データ変換サーバ３０に、前述のシリアルＩＤと対応して記憶保持されている。
【００３１】
図２はＰＣ１０の構成を示すブロック図である。
【００３２】
図２に示すように、ＰＣ１０は、楽曲データ変換サーバ３０と通信を行うための通信部１０１と、音楽ＣＤ４０を読み込むためのＣＤドライブ１０２と、画像処理装置やディスプレイで構成される表示部（表示手段）１０３と、キーボードやマウスなどである操作部１０４と、メモリやハードディスクである記憶部１０５と、各部を制御するＣＰＵである処理装置１０６と、を備えて構成される。ここで、記憶部１０５には、後述する楽曲管理プログラム（第１の楽曲データ管理プログラム、プログラム）が予め格納されている。
【００３３】
図３は携帯端末２０の構成を示すブロック図である。
【００３４】
携帯端末２０は、例えば携帯電話やＰＤＡなどの、ユーザに携行される情報端末である。
【００３５】
図３に示すように、携帯端末２０は、楽曲データ変換サーバ３０と通信を行うための通信部２０１と、電波の送受信を行うアンテナ２０７と、カメラ部（撮像手段）２０２と、画像処理装置やディスプレイで構成される表示部２０３と、キーボードやタッチパネルなどである操作部２０４と、メモリやハードディスクである記憶部２０５と、各部を制御するＣＰＵである処理装置２０６と、を備えて構成される。
【００３６】
記憶部２０５には、ＰＣ１０と同様に、後述する楽曲管理プログラム（第２の楽曲データ管理プログラム、プログラム）が予め格納されている。
【００３７】
図４は楽曲データ変換サーバ３０の構成を示すブロック図である。
【００３８】
図４に示すように、楽曲データ変換サーバ３０は、ＰＣ１０や携帯端末２０と通信を行うための通信部３０１と、各部を制御するＣＰＵである処理装置３０２と、音楽コンテンツ会社が生産した複数種類の音楽ＣＤのＣＤＩＤを格納したＣＤＩＤデータベース３０３と、後述するユーザＩＤを格納するユーザＩＤデータベース３０４と、各ＣＤＩＤに対応した楽曲マスタリングデータを格納した楽曲データ記憶装置３０５と、マスタリングデータを端末向けの楽曲データに圧縮変換する楽曲データ変換処理装置（変換処理装置）３０６と、ＰＣ１０や携帯端末２０との通信時に表示するガイド文（例えば、「ただいま楽曲データをダウンロードしています」といったガイドメッセージ）の情報や、処理装置３０２の制御プログラム（プログラム）などを格納した記憶装置３０７と、を備えて構成される。
【００３９】
図５に、ＰＣ１０及び携帯端末２０の各記憶部１０５，２０５に格納されるデータを示す。
【００４０】
図５に示すように、記憶部１０５，２０５には、楽曲管理プログラム（プログラム）４０１と、この楽曲管理プログラム４０１が用いる楽曲管理データ４０２と、が格納される。なお、記憶部１０５にはＰＣ用の楽曲管理プログラム（第１の楽曲データ管理プログラム）４０１が、記憶部２０５には携帯端末用の楽曲管理プログラム（第２の楽曲データ管理プログラム）４０１が、それぞれ格納されている。
【００４１】
このうち楽曲管理データ４０２には、各ユーザに固有のユーザＩＤと、再生可能楽曲データの再生可能フォーマット情報（データ形式及びビットレート）と、ユーザが購入したＣＤのＣＤＩＤ情報と、楽曲データ変換サーバ３０からダウンロードした楽曲データと、が含まれる。
【００４２】
ここで、ユーザＩＤは、例えばＰＣ１０のハードウェアのシリアルＮｏなどから、処理装置１０６が楽曲管理プログラム４０１に従って自動的に生成するものであり、ユーザ毎に異なる情報となる。
【００４３】
また、ＰＣ１０及び携帯端末２０は、それぞれ複数種類の再生フォーマットの楽曲データを再生可能に構成されており、複数種類の再生フォーマットの各々と対応する再生可能フォーマット情報が楽曲管理データ４０２には含まれている。そして、複数種類の再生フォーマットのうち、好みの再生フォーマットをユーザが選択できるようになっている。
【００４４】
次に、動作を説明する。
【００４５】
図６は、ＰＣ１０で楽曲データを利用する場合の動作の流れを示すフローチャートである。
【００４６】
以下に説明するＰＣ１０の動作は、記憶部１０５に記憶された楽曲管理プログラム（プログラム）４０１に従って、処理装置１０６の制御下で行われる。
【００４７】
また、以下に説明する楽曲データ変換サーバ３０の動作は、記憶装置３０７に記憶された制御用プログラム（プログラム）に従って、処理装置３０２の制御下で行われる。
【００４８】
先ず、ＰＣ１０において、ユーザによる操作に基づき楽曲管理プログラム４０１を起動する。また、購入した音楽ＣＤをユーザがＣＤドライブ１０２にセットする。
【００４９】
すると処理装置１０６は、楽曲管理プログラム４０１に従って、音楽ＣＤからＣＤＩＤを読み取り、記憶部１０５に保存する（既に保存済みの場合は保存しないか、又は上書きする）（ステップＳ１０１）。
【００５０】
ＰＣ１０の表示部１０３の表示画面には、楽曲管理プログラム４０１に従った処理により、ＰＣ１０で楽曲データを利用するか又は携帯端末２０で楽曲データを利用するかの選択メニューが表示される。
【００５１】
ＰＣ１０での利用をユーザが選択すると、処理装置１０６は、記憶部１０５から複数種類の再生可能フォーマット情報（第１の再生フォーマット情報）を読み出し、このうち何れか所望の再生可能フォーマット情報をユーザに選択させる選択画面を表示部１０３に表示させる（ステップＳ１０２）。
【００５２】
なお、再生可能フォーマット情報は、楽曲管理プログラムの提供時に、楽曲管理プログラム４０１の提供者が指定した情報である。例えばＰＣ１０の場合は、処理装置１０６の処理能力や記憶部１０５の記憶容量に比較的余裕があるため、高音質（高ビットレート；音質が優れた）のフォーマット情報が指定されている。例えば、本実施形態におけるＰＣ１０の楽曲管理プログラムでは、圧縮後に元のマスタリングデータを復元できるロスレス圧縮フォーマットや、音楽ＣＤに近い音質が得られるように２５６ｋｂｐｓなど比較的高いビットレートのフォーマットが選択・再生できるようになっている。なお、記憶部１０５の記憶容量を節約するため、６４ｋｂｐｓなど低ビットレートのフォーマットも選択・再生できるようになっていてもよい。
【００５３】
次に、ユーザにより選択された再生フォーマット情報と、ユーザＩＤと、現在ＰＣ１０にセットされている音楽ＣＤのＣＤＩＤと、が通信部３０１により楽曲データ変換サーバ３０に送信される（ステップＳ１０３）。
【００５４】
楽曲データ変換サーバ３０はＰＣ１０より再生フォーマット情報、ユーザＩＤ及びＣＤＩＤを受信すると、この再生フォーマット情報とユーザＩＤとＣＤＩＤとを対応付けてユーザＩＤデータベース３０４に保存する（ステップＳ１０４）。
【００５５】
そして、楽曲データ変換サーバ３０は、受信したＣＤＩＤについてＣＤＩＤデータベース３０３を検索して、該ＣＤＩＤと対応付けられたマスタリングデータを楽曲データ記憶装置３０５から抽出する（ステップＳ１０５）。
【００５６】
次に、楽曲データ変換処理装置３０６は、ユーザによって指定された再生フォーマット情報に基づいて、楽曲データ記憶装置から取り出したマスタリングデータを当該再生フォーマットの端末用楽曲データに変換する（ステップＳ１０６）。すなわち、ここでは、楽曲データ変換処理装置３０６は、マスタリングデータをＰＣ１０用の再生フォーマットのうちの何れかの再生フォーマットの楽曲データ（第１の楽曲データ）に変換する。
【００５７】
なお、各再生フォーマットに対応する変換アルゴリズムは、楽曲データ変換処理装置３０６に内蔵されたＤＳＰ（Ｄｉｇｉｔａｌ  Ｓｉｇｎａｌ  Ｐｒｏｃｅｓｓｏｒ）に記憶され、楽曲データ変換処理装置３０６は、それら変換アルゴリズムのうち、ＰＣ１０から受信した再生フォーマット情報と対応する再生フォーマットの変換アルゴリズムに従って、マスタリングデータを端末用楽曲データに変換する。
【００５８】
次に、楽曲データ変換処理装置３０６により生成（変換）された楽曲データを、通信部３０１がＰＣ１０に送信する（ステップＳ１０７）。
【００５９】
ＰＣ１０は楽曲データ変換サーバ３０より楽曲データを受信すると、その楽曲データを記憶部１０５に保存する（ステップＳ１０８）。
【００６０】
これにより、ＰＣ１０では、楽曲データ変換サーバ３０より提供された楽曲データを、楽曲管理プログラム４０１を用いて再生可能な情報となる。
【００６１】
図７は、携帯端末２０で楽曲データを利用する場合の動作の流れを示すフローチャートである。
【００６２】
以下に説明するＰＣ１０の動作は、記憶部１０５に記憶された楽曲管理プログラム（プログラム）４０１に従って、処理装置１０６の制御下で行われる。
【００６３】
また、以下に説明する携帯端末２０の動作は、記憶部２０５に記憶された楽曲管理プログラム（プログラム）４０１に従って、処理装置１０６の制御下で行われる。
【００６４】
また、以下に説明する楽曲データ変換サーバ３０の動作は、記憶装置３０７に記憶された制御用プログラム（プログラム）に従って、処理装置３０２の制御下で行われる。
【００６５】
先ず、ＰＣ１０において、ユーザによる操作に基づき楽曲管理プログラムを起動４０１する。また、購入した音楽ＣＤをユーザがＣＤドライブ１０２にセットする。
【００６６】
すると処理装置１０６は、楽曲管理プログラムに従って、図６における動作と同様に音楽ＣＤからＣＤＩＤを読み取り、記憶部１０５に保存する（既に保存済みの場合は保存しないか、又は上書きする）（ステップＳ２０１）。
【００６７】
ＰＣ１０の表示部１０３の表示画面には、楽曲管理プログラム４０１に従った処理により、ＰＣ１０で楽曲データを利用するか又は携帯端末２０で楽曲データを利用するかの選択メニューが表示される。ここで携帯端末２０での利用をユーザが選択すると、処理装置（認証コード提供手段）１０６は、ユーザＩＤと読み取ったＣＤＩＤとから認証コード（例えばＱＲコードなどの二次元バーコード）を生成し、表示部１０３に表示する（ステップＳ２０２）。
【００６８】
次に、携帯端末２０において、ユーザによる操作に基づき楽曲管理プログラム４０１を起動し、認証コードの読み取りを行う（ステップＳ２０３）。
【００６９】
本実施形態の場合、例えば、カメラ部（撮像手段）２０２を利用してＰＣ１０の表示部１０３に表示された認証コードを撮影し、処理装置２０６は、この撮像された認証コードからユーザＩＤとＣＤＩＤを抽出し、これらユーザＩＤとＣＤＩＤを記憶部２０５に保存する。なお、カメラ部２０２及び処理装置２０６により認証コード取得手段が構成される。
【００７０】
次に、図６の動作と同様にユーザが再生フォーマット情報（第２の再生フォーマット情報）を選択する（ステップＳ２０４）。
【００７１】
ただし、携帯端末２０の場合は処理装置２０６の処理能力や記憶部２０５の記憶容量がＰＣ１０に比べて制限されるため、高音質のフォーマットの再生が困難である。よって、記憶部２０５の再生可能フォーマット情報としては、１２８ｋｂｐｓや６４ｋｂｐｓなど、比較的低ビットレートの再生フォーマットが指定されている。すなわち、ＰＣよりも再生可能フォーマットで指定されるビットレートの上限が低い。
【００７２】
次に、携帯端末２０の通信部２０１は、選択された再生フォーマット情報と、ユーザＩＤ及びＣＤＩＤを、楽曲データ変換サーバ３０に送信する（ステップＳ２０５）。
【００７３】
楽曲データ変換サーバ３０は、携帯端末２０から再生フォーマット情報・ユーザＩＤ・ＣＤＩＤを受信すると、図６の動作と同様に、マスタリングデータを端末用楽曲データに変換する（ステップＳ２０６〜２０８）。すなわち、ここでは、携帯端末２０用の再生フォーマットのうちの何れかの再生フォーマットの楽曲データ（第２の楽曲データ）に変換する。
【００７４】
次に、ステップＳ２０８にて生成（変換）された楽曲データが、通信部３０１により携帯端末２０に送信される（ステップＳ２０９）。
【００７５】
携帯端末２０は、楽曲データ変換サーバ３０より楽曲データを受信すると、その楽曲データを記憶部２０５に保存する（ステップＳ２１０）。
【００７６】
これにより、携帯端末２０では、楽曲データ変換サーバ３０より提供された楽曲データを、楽曲管理プログラム４０１を用いて再生可能な情報となる。
【００７７】
以上のような実施形態によれば、ユーザのＰＣ１０に音楽ＣＤがセットされているときにしか楽曲データ変換サーバ３０からＰＣ１０又は携帯端末２０に楽曲データを提供しないため、ユーザが音楽ＣＤを購入済みである状態とみなすことができるので、楽曲データの提供に関して、サービス会社は著作権料を徴収する必要がなく、ユーザも著作権料の二重払いをする必要がなくなる。
【００７８】
また、楽曲管理プログラムには予め端末（本実施形態の場合、ＰＣ１０又は携帯端末２０）に適した再生フォーマット情報が指定されているので、ＰＣ１０と携帯端末２０の両方で楽曲データを利用したい場合でも、ユーザがＰＣ１０を用いて自分で各利用端末向けに変換作業を行う必要がなく、簡単に端末に適した楽曲データを入手することができる。
【００７９】
なお、上記の実施形態においては図示を省略したが、変換サーバ３０からＰＣ１０への楽曲データ送信時に、サービス運用料を決済処理してもよい。ただし、本実施形態の場合は上記において説明したようにユーザのＰＣ１０に音楽ＣＤがセットされているときにしか楽曲データを提供しないため、ユーザが音楽ＣＤを購入済みである状態とみなすことができるので、楽曲データの提供料に関しては著作権料を含めないようにする。
【００８０】
また、上記の実施形態においては、ＰＣ１０や携帯端末２０の楽曲管理プログラムの実行時に、ユーザに再生フォーマットを選択させず、予め端末に適するように定められた一の再生フォーマットを楽曲データ変換サーバ３０に送信するようにしてもよい。
【００８１】
さらに、上記の実施形態においては、楽曲データ変換サーバ３０がＰＣ１０や携帯端末２０からユーザＩＤを受信した際に、その受信時刻を記憶（例えば、ユーザＩＤデータベース３０４に記憶）しておき、その受信時刻から所定時間内には、同一のユーザからの再度の楽曲データ提供の要求は受付けないように制御してもよい。すなわち、その受信時刻から所定時間内に、同一のユーザからの再度の楽曲データ提供の要求があっても、楽曲データ変換サーバ３０からＰＣ１０や携帯端末２０への楽曲データの提供は行わない。
【００８２】
また、上記の実施形態では、ＰＣ１０から携帯端末２０にユーザＩＤとＣＤＩＤを転送するために二次元バーコードとカメラ部２０２を用いたが、Ｂｌｕｅｔｏｏｔｈなどの近距離無線通信を利用してもよい。また、楽曲管理プログラム中に再生フォーマット情報を持たず、楽曲データ変換サーバ３０に端末機種に適した再生フォーマットの指定情報データベースを持たせておき、端末からのＣＤＩＤの送信時に端末機種名を送信するようにして、端末に適した楽曲データの変換を行うようにしてもよい。
【図面の簡単な説明】
【００８３】
【図１】実施形態に係る端末別楽曲データ提供システムの構成を示す模式図である。
【図２】図１に示されるＰＣの構成を示すブロック図である。
【図３】図１に示される携帯端末の構成を示すブロック図である。
【図４】図１に示される楽曲データ変換サーバの構成を示すブロック図である
【図５】ＰＣ及び携帯端末の各記憶部に格納されるデータを示す図である。
【図６】ＰＣで楽曲データを利用する場合の動作の流れを示すフローチャートである。
【図７】携帯端末で楽曲データを利用する場合の動作の流れを示すフローチャートである。
【符号の説明】
【００８４】
１０    ＰＣ（第１の端末）
１０１  通信部
１０２  ＣＤドライブ
１０３  表示部（表示手段）
１０５  記憶部
１０６  処理装置（認証コード提供手段）
２０    携帯端末（第２の端末）
２０１  通信部
２０２  カメラ部（認証コード取得手段を構成する、撮像手段）
２０４  処理装置（認証コード取得手段を構成する）
２０５  記憶部
３０    楽曲データ変換サーバ（楽曲データサーバ）
３０３  ＣＤＩＤデータベース
３０５  楽曲データ記憶装置
３０６  楽曲データ変換処理装置（変換処理装置）
４０    音楽ＣＤ
４０１  楽曲管理プログラム（第１の楽曲データ管理プログラム、第２の楽曲データ管理プログラム、プログラム）
１００  端末別楽曲データ提供システム
【図１】
2007272556.tif 000003
【図２】
2007272556.tif 000004
【図３】
2007272556.tif 000005
【図４】
2007272556.tif 000006
【図５】
2007272556.tif 000007
【図６】
2007272556.tif 000008
【図７】
2007272556.tif 000009